(57)【要約】【課題】インク吸収体の各領域に必要な量の抑制インクをなるべく短時間で付与することにより、抑制インクの付与に要する時間を短縮する。【解決手段】記録媒体の外側に吐出される第１、第２インクを吸収するためのインク吸収体における第１インクの堆積を抑制するために、第１インクが吐出されたインク吸収体の位置に応じて第２インクの吐出の条件を変更する。【選択図】図９
2008173963.tif 000002
【特許請求の範囲】
【請求項１】
第１インク及び第２インクを吐出する記録ヘッドを記録媒体に走査させながら、前記記録ヘッドから少なくとも前記第１インクを記録媒体及び該記録媒体の外側に吐出させることで、前記記録媒体の端部に余白を設けることなく記録を行うことが可能なインクジェット記録装置であって、
前記記録媒体の外側に吐出される第１、第２インクを吸収するためのインク吸収体と、
前記インク吸収体上における前記第１インクの堆積を抑制するために、前記第１インクが吐出されたインク吸収体に対して前記第２インクが吐出されるように、前記記録ヘッドからの前記第２インクの吐出を制御する制御部と、
を有し、
前記制御部は、前記インク吸収体の位置に応じて前記第２インクの吐出の条件を変更することを特徴とするインクジェット記録装置。
【請求項２】
前記吐出条件とは、前記記録ヘッドの走査速度、前記記録ヘッドの第２インクを吐出するノズル数、前記記録ヘッドの吐出周波数、または前記記録ヘッドの走査回数の少なくとも１つを含む条件であることを特徴とする請求項１に記載のインクジェット記録装置。
【請求項３】
前記インク吸収体の位置に応じた前記第１インクの堆積に関する情報を取得する取得手段を有し、
前記取得手段が取得した情報に応じて前記吐出条件を変更することを特徴とする請求項１または２に記載のインクジェット記録装置。
【請求項４】
前記インク吸収体の第１位置よりも前記第１インクの堆積が大きい第２位置に吐出する第２インクの量が多くなるように前記吐出条件を変更することを特徴とする請求項３に記載のインクジェット記録装置。
【請求項５】
前記第１インクは色材として顔料を含有するインクであり、前記第２インクは色材として染料を含有するインクであることを特徴とする請求項１ないし４のいずれかに記載のインクジェット記録装置。
【請求項６】
前記第１インクおよび第２インクは色材として顔料を含有するインクであることを特徴とする請求項１ないし４のいずれかに記載のインクジェット記録装置。
【請求項７】
前記第２インクは色材を含有しないクリアインクであることを特徴とする請求項１ないし４のいずれかに記載のインクジェット記録装置。
【請求項８】
記録媒体の外側に吐出されたインクを吸収するためのインク吸収体を有するインクジェット記録装置におけるインク吸収体の回復方法であって、
前記インクとして第１インク及び前記インク吸収体上における前記第１インクの堆積を抑制するための第２インクを吐出する記録ヘッドを前記記録媒体に走査させながら、前記記録ヘッドから少なくとも前記第１インクを記録媒体及び該記録媒体の外側に吐出させることで、前記記録媒体の端部に余白を設けることなく記録を行う工程と、
前記第１インクが吐出されたインク吸収体に対して前記第２インクが吐出されるように、前記インク吸収体の位置に応じて前記第２インクの吐出の条件を変更して前記記録ヘッドから前記第２インクを吐出させる工程と、
を有することを特徴とするインク吸収体の回復方法。
【発明の詳細な説明】
【技術分野】
【０００１】
本発明は、記録媒体の搬送方向と交差する方向に記録ヘッドを走査させて記録を行うインクジェット記録装置に関する。特に、記録媒体の端部に余白を設けず記録を行う、いわゆる「余白なし記録」を行う際に、記録媒体の端部からはみ出した領域に吐出されたインクを吸収するインク吸収体の吸収能力を維持するための回復方法に関する。
【背景技術】
【０００２】
近年、コンピュータの出力装置として、記録ヘッドのノズルからインクを吐出するインクジェット記録装置が広く普及している。インクジェット記録装置の中には、記録媒体の端部まで画像を記録し、余白のない記録物を出力可能なものも多く提供されている。「余白なし記録」を行うインクジェット記録装置では、記録媒体の最端部よりもはみ出した領域までインクを吐出して画像を記録する。このとき、このはみ出した領域に吐出されたインクが装置内を汚染しないように、これを吸収するためのインク吸収体が記録ヘッドの移動（走査）する経路の対向する位置に配備されている。
【０００３】
但し、使用されるインクの中には、例えば顔料インクのようにインク吸収体に吸収され難いものもあり、このようなインクはインク吸収体の表面に徐々に堆積していく傾向がある。そして、堆積が進行すると、記録媒体の搬送不良が起こったり、記録媒体の裏面が汚染されたり、記録ヘッドの吐出口面と堆積物が接触して吐出口面を損傷してしまったり、と様々な弊害が招致される。
【０００４】
特許文献１には、このような問題を解決するために、吸収され難いインクが付与されたインク吸収体の領域に向けて、吸収され易いインクを吐出することにより、インク吸収体の吸収能力を促進し、インク吸収体上のインクの堆積を抑制する技術が開示されている。
【０００５】
以下、本明細書において、インク吸収体に吸収され難く吸収体上に堆積しやすいインクを堆積インク、吸収体に吸収されやすく吸収体上の堆積を抑制するインクを抑制インクと称することとする。
【０００６】
【特許文献１】特開２００４−２５５５７号公報
【発明の開示】
【発明が解決しようとする課題】
【０００７】
ところで、一般のインクジェット記録装置において「余白なし記録」を行う場合、装置内に配置されたインク吸収体の単位面積あたりに付与されるインクの量は、一様ではない。
【０００８】
図８は、インク吸収体とインク付与量の分布を説明するための模式図である。「余白なし記録」開始前、図の位置に配置していた記録媒体Ｐは、記録動作開始と共に搬送方向に搬送され、その先端部ｆが不図示の記録ヘッドによる記録が可能でかつインク吸収体２０８Ａの上部に配置するように位置決めされる。その後、記録ヘッドが図の主走査方向に移動しながら、先端部ｆ近傍に対する記録を開始する。ここで、記録媒体の大きさをＡ４サイズとすると、記録媒体をはみ出したインクは、吸収体２０８Ａの右端部領域、左端部領域および先後端部領域のほぼ全領域に渡って吸収される。なお、一般に、記録ヘッドは搬送方向に複数のノズルを備えているが、「余白なし記録」において先端部あるいは後端部を記録する際には、一部のノズルのみを用いて記録することが多い。
【０００９】
インクジェット記録装置では、記録ヘッドによる主走査方向への記録走査と、この主走査方向と交差する方向への記録媒体の搬送動作とを間欠的に行っていくことにより、徐々に画像を記録していく。よって、記録媒体の先端部ｆがインク吸収体２０８Ａを超えた程度まで記録が進行すると、先端部ｆに対する記録は完了し、インク吸収体２０８Ａの先後端部領域にはインクが吐出されなくなる。つまり、記録媒体よりはみ出した領域にインクが吐出される領域は、左端部領域と右端部領域のみになる。この段階になると、記録ヘッドの全てのノズルを用いて記録を行うことが多いので、一般に、インク吸収体２０８Ａの左右端部における搬送方向の長さは、先後端部よりも長く設計されている。但し、記録媒体のサイズはＡ４サイズばかりでなく、左端部側を基準にすると、右端部の位置は記録媒体のサイズによって様々である。よって、図のように、記録媒体の種類によって吸収体を広くした右端部の位置が幾つか用意されているのが一般である。
【００１０】
このような記録走査と搬送動作とが行われ、記録媒体の後端部Ｒが吸収体２０８Ａ近傍まで進んでくると、再び使用するノズル数を低減した状態で、後端部Ｒに対する記録が行われる。この後端部記録で、はみ出した領域に吐出されるインクは、先端部記録の場合と同様、吸収体２０８Ａの右端部領域、左端部領域および先後端部領域のほぼ全領域に渡って吸収される。後端部領域への記録が完了すると、記録媒体は装置外へ排出される。
【００１１】
以上説明した１枚の記録媒体に対する一連の記録動作において、インク吸収体２０８Ａの領域の中で、最もインクの付与量が多いのは左右端部領域であることが分かる。なぜなら、右端部および左端部については一連の記録動作においてインクが付与され続けているが、先後端部については記録媒体の中央部に対する記録を行っている間はインクが付与されないからである。結果、インク吸収体に吸収されにくいインク（堆積インク）を用いて記録を行うインクジェット記録装置においては、左右端部領域はその他の領域に比べてインクが堆積しやすいことになる。すなわち、特許文献１のように、抑制インクを付与して吸収体上のインクの堆積を抑制しようとする場合には、インク吸収体の領域によって必要とされる抑制インクの付与量が異なっているのである。
【００１２】
しかしながら、特許文献１に記載の方法では、記録ヘッドが搭載されたキャリッジを等速で走査させながら、一定の駆動周波数で複数のノズルから抑制インクを吐出させているため、吸収体のどの領域においても略一定の量で抑制インクが付与されている。よって、左右端部に付与された堆積インクの量によっては、必要な付与量が得られないという不具合が招致されていた。
【００１３】
本発明は、上記問題点を解決するためになされたものである。よって、その目的とするところは、インク吸収体の各領域に必要な量の抑制インクを、なるべく短時間にかつ効率的に付与することが可能なインクジェット記録装置およびそのインク吸収体の回復方法を提供することである。
【課題を解決するための手段】
【００１４】
そのために本発明においては、第１インク及び第２インクを吐出する記録ヘッドを記録媒体に走査させながら、前記記録ヘッドから少なくとも前記第１インクを記録媒体及び該記録媒体の外側に吐出させることで、前記記録媒体の端部に余白を設けることなく記録を行うことが可能なインクジェット記録装置であって、前記記録媒体の外側に吐出される第１、第２インクを吸収するためのインク吸収体と、前記インク吸収体上における前記第１インクの堆積を抑制するために、前記第１インクが吐出されたインク吸収体に対して前記第２インクが吐出されるように、前記記録ヘッドからの前記第２インクの吐出を制御する制御部と、を有し、前記制御部は、前記インク吸収体の位置に応じて前記第２インクの吐出の条件を変更することを特徴とする。
【００１５】
また、記録媒体の外側に吐出されたインクを吸収するためのインク吸収体を有するインクジェット記録装置におけるインク吸収体の回復方法であって、前記インクとして第１インク及び前記インク吸収体上における前記第１インクの堆積を抑制するための第２インクを吐出する記録ヘッドを前記記録媒体に走査させながら、前記記録ヘッドから少なくとも前記第１インクを記録媒体及び該記録媒体の外側に吐出させることで、前記記録媒体の端部に余白を設けることなく記録を行う工程と、前記第１インクが吐出されたインク吸収体に対して前記第２インクが吐出されるように、前記インク吸収体の位置に応じて前記第２インクの吐出の条件を変更して前記記録ヘッドから前記第２インクを吐出させる工程と、を有することを特徴とする。
【発明の効果】
【００１６】
本発明によれば、「余白なし記録」によって付与されるインク吸収体の主走査方向の各領域における堆積インク量に応じて、記録ヘッドから抑制インクを吐出する条件を変更することが出来る。これにより、短時間で必要な抑制インク量を付与することが可能となるため、抑制インクの付与に要する時間を短縮することが出来る。
【発明を実施するための最良の形態】
【００１７】
（第１の実施形態）
以下、図面を参照して本発明の実施形態を詳細に説明する。
【００１８】
図１は、本実施形態で適用するインクジェット記録装置を、その外装部を取り外して内部機構を露出させた状態で示す斜視図である。本実施形態における記録装置本体は、給紙部、用紙搬送部、排紙部、キャリッジ部、クリーニング部、プラテン部および外装部などを有している。
【００１９】
給紙部は、圧板Ｍ２０１０上に積載された記録媒体を１枚ずつ分離して記録部へと送給する。用紙搬送部は、送給された記録媒体を記録ヘッドによる記録領域に向けて挟持搬送する搬送ローラＭ３０６０とこれに対向して設けられたピンチローラＭ３０７０とからなるローラ対、搬送ローラＭ３０６０の駆動源となる搬送モータＥ０００２などを有する。
【００２０】
排紙部は、記録媒体を記録領域から排紙させるための排紙ローラＭ３１００およびこれと協働する複数の拍車ローラＭ３１２０等を有する。
【００２１】
キャリッジ部は、ヘッドカートリッジＨ１０００およびインクタンクＨ１９００を取り付けるためのキャリッジＭ４０００を有している。キャリッジＭ４０００は、ガイドシャフトＭ４０２０およびガイドレールＭ１０１１によって支持され、ガイドシャフトＭ４０２０は、記録媒体の搬送方向（Ｙ方向）に対して直角な方向（Ｘ方向）にキャリッジＭ４０００を案内支持している。キャリッジＭ４０００は、シャーシＭ１０１０に取り付けられたキャリッジモータＥ０００１の駆動力により、２つのプーリＭ４０４２によって張架されたタイミングベルトＭ４０４１を介してＸ方向に往復移動する。
【００２２】
記録ヘッドが記録を行う領域には、搬送されてきた記録媒体を下部から支え、記録媒体表面と記録ヘッドの吐出口面との距離が一定に保たれるように、プラテンＭ３０４０が配備されている。プラテンＭ３０４０の構造については、後に詳しく説明する。
【００２３】
上記構成において記録媒体に画像を記録する場合、その画像の行方向への記録位置は、搬送ローラＭ３０６０およびピンチローラＭ３０７０からなるローラ対が、記録媒体を搬送することによって位置決めする。また、画像の列方向への位置に対しては、キャリッジモータＥ０００１によりキャリッジＭ４０００を上記搬送方向と交差する方向に移動させて、記録ヘッドを目的の画像位置に配置させる。位置決めされた記録ヘッドは、電気制御基板Ｅ００１４からの信号に従って、記録媒体に対してインクを吐出する。本実施形態の記録配置においては、記録ヘッドにより記録を行いながらキャリッジＭ４０００が列方向に移動する記録走査と、搬送ローラＭ３０６０により記録媒体が行方向に搬送される搬送動作とを間欠的に繰り返すことにより、記録媒体上に画像を記録していく。なお、記録ヘッドについての詳細な構成は後述する。
【００２４】
図２は、本実施形態の記録装置における記録部の構成を詳細に説明するための断面図である。記録部まで搬送されてきた記録媒体Ｐは、その上流側を搬送ローラＭ３０６０とピンチローラＭ３０７０に、下流側を排紙ローラＭ３１００と拍車ローラＭ３１２０に挟持され、平滑な面が保たれている。記録ヘッドＨ１００１に構成されている複数のノズル列２０２は、ヘッドカートリッジＨ１０００が図面の垂直方向に移動するのに伴ってインクを吐出し、記録媒体Ｐに１記録走査分の画像を記録する。
【００２５】
プラテンＭ３０４０は、その上部を通過する記録媒体を支持するために、記録ヘッドが移動する経路に渡って図面垂直方向に延在する。プラテンＭ３０４０には、記録媒体を直接支えるためのリブ２０９と、「余白なし記録」を実行する際に記録媒体の外側にはみ出して吐出されたインクを収容するための溝２０８が形成されており、溝２０８にはインク吸収体２０８Ａが充填されている。さらに、インク吸収体２０８Ａに吸収されたインクは、その後、記録装置本体の下部に設けられている不図示の廃インク吸収体に回収される構成になっている。なお、本実施形態において「余白なし記録」を行う際には、記録媒体の大きさよりも３ｍｍ程外側にはみ出した領域まで、記録ヘッドＨ１００１からインクを付与するものとする。
【００２６】
図３は、本実施形態のヘッドカートリッジＨ１０００の構成を説明するための斜視図である。本実施形態におけるヘッドカートリッジＨ１０００は、記録ヘッドＨ１００１、インクタンクＨ１９００を搭載する手段、およびインクタンクＨ１９００から記録ヘッドにインクを供給するための手段を有しており、キャリッジＭ４０００に着脱可能に搭載される。図では、ヘッドカートリッジＨ１０００に対し、９種類のインクタンクＨ１９００を装着する様子を示している。本実施形態の記録装置は、９種類のインクによって画像を記録するものであり、各々独立した９個のインクタンクＨ１９００が用意されている。これらインクタンクは、ヘッドカートリッジＨ１０００に対してそれぞれ着脱自在となっている。インクタンクＨ１９００の着脱は、キャリッジＭ４０００にヘッドカートリッジＨ１０００が搭載された状態で行えるようになっている。
【００２７】
図４は、記録ヘッドＨ１００１に構成されるノズル列を説明するための模式図である。本実施形態の記録ヘッドＨ１００１には、それぞれ５列ずつのノズル列が形成された２枚の記録素子基板１３０２および１３０３が図のように並列している。
【００２８】
第１の記録素子基板１３０２には、フルカラー画像を減法混色で高速に記録する際に用いる顔料インクを吐出するノズル列が配備されている。図において、１３１２は顔料ブラックインクを吐出するノズル列、１３０４は顔料イエローインクを吐出するノズル列、１３０５は顔料マゼンタインクを吐出するノズル列、１３０６は顔料シアンインクを吐出するノズル列をそれぞれ示している。個々のノズル列は、Ｙ方向に１２００ｄｐｉ（ｄｏｔ／ｉｎｃｈ；参考値）の間隔で並ぶ７６８個のノズルによって構成され、各ノズルは約２ピコリットルのインク滴を吐出させる。なお、図において吐出部１３１２の左側に示されているノズル列は、本実施形態では非使用のノズル列となっている。
【００２９】
第２の記録素子基板１３０３には、フルカラー画像を減法混色で高画質に記録する際、階調性を高めるために用いる染料インクを吐出するノズル列が配備されている。図において、１３０７は染料ライトシアンインクを吐出するノズル列、１３０８は染料ブラックインクを吐出するノズル列、１３０９は染料ライトマゼンタインクを吐出するノズル列とする。また、１３１０は染料グレーインクを吐出するノズル列、１３１１は染料特色インクを吐出するノズル列をそれぞれ示している。ライトシアンおよびライトマゼンタインクは、記録素子基板１３０２から吐出されるシアンおよびマゼンタインクと共に併用することによって、シアンおよびマゼンタを用いる色域の階調性を高めることが出来る。染料ブラックインクおよびグレーインクは、記録素子基板１３０２から吐出される顔料ブラックインクと共に併用することによって、画像のコントラストと階調性を高めることが出来る。更に、特色インクは、例えばレッドインクを用いることによって、本実施形態で使用するマゼンタ、ライトマゼンタおよびイエローインクによって表現可能な色域を更に拡大することが出来る。本実施形態では、ここで用いる９種類のインクのうち、色材の粒子が大きく水に溶解し難い顔料インクは、インク吸収体にも吸収され難いことから堆積インク（第１インク）と分類する。一方、色材の粒子が小さく水に溶解し易い染料インクは、インク吸収体にも吸収され易く、堆積した顔料インクが吸収されるのを促進できることから抑制インク（第２インク）と分類する。
【００３０】
図５は、本実施形態のインクジェット記録装置における制御の構成を説明するためのブロック図である。２００は、装置内の各機構からの情報を取得したりコマンドを送信したりすることによって、装置全体の制御を司るコントローラ（制御部）である。コントローラ２００にはＣＰＵ２０１のほか、各種プログラムを格納するＲＯＭ２０３や、ＣＰＵ２０１の作業用の領域として使用されるＲＡＭ２０５が備えられている。ＲＯＭ２０３には、上記プログラムのほか、記録制御や固定データ、後述する抑制インク付与走査に必要なテーブルなどが格納されている。
【００３１】
記録装置の外部に接続されたホスト装置２１０は、画像データの供給源であるが、記録に係る画像等のデータの作成、処理等を行うコンピュータとする他、画像読み取り用のリーダ部等の形態であってもよい。画像データ、その他のコマンド、ステータス信号等は、インターフェイス（Ｉ／Ｆ）２１２を介してコントローラ２００との間で送受信される。本実施形態の記録装置において、ホスト装置２１０からコントローラ２００へ送信される画像データは６００ｐｐｉ（ピクセル／インチ；参考値）の多値信号であり、記録ヘッドＨ１００１が記録媒体に記録する記録データは、１２００ｄｐｉの２値信号である。すなわち、コントローラ２００は、記録を実行する際、６００ｐｐｉの多値信号を９色分の１２００ｄｐｉの２値信号に変換する。
【００３２】
ヘッドドライバ２４０は、２値の記録データに応じて記録ヘッドＨ１００１の電気熱変換体（吐出ヒータ）２５を駆動するためのドライバである。キャリッジモータドライバ２５０は、キャリッジＭ４０００を移動するキャリッジモータＥ０００１を駆動するためのドライバであり、搬送モータドライバ２７０は、記録媒体を搬送方向に搬送する搬送モータＥ０００２を駆動するためのドライバである。
【００３３】
以上説明した構成のインクジェット記録装置を用い、以下に本実施形態に特徴的なインク吸収体の回復方法を説明する。
【００３４】
図６は、本実施形態のインクジェット記録装置が「余白無し記録」を行う際に、コントローラ２００が実行する各工程を説明するためのフローチャートである。
【００３５】
ホスト装置から「余白無し記録」のコマンドを受信すると、まずコントローラ２００はステップＳ１において、はみ出し領域における堆積ドット数を算出する。
【００３６】
図７は、堆積ドット数のカウント方法を説明するためのイメージ図である。既に説明したように、本実施形態で「余白なし記録」を行う際には、記録媒体の領域Ｐよりも先端部、後端部、右端部および左端部に３ｍｍずつはみ出した領域に画像を記録する。図では、このようにはみ出した領域を斜線で示している。更に、このはみ出し領域を、図のように先端部、後端部、右端部および左端部に分類して考えると、右端部および左端部に吐出されるインクは、図８で示したインク吸収体２０８Ａの右端部および左端部にそれぞれ吸収されることになる。また、先端部および後端部に吐出されるインクは、共に、図８で示したインク吸収体２０８Ａの先後端部に吸収されることになる。
【００３７】
本実施形態のコントローラ２００は、ステップＳ１において、吸収体２０８Ａの右端部に吸収されるインクのドット数、左端部のドット数、更に先後端部のドット数をインク種類ごとにカウントする。そして、堆積インクとなる顔料インクのカウント結果から、抑制インクとなる染料インクのドット数を差し引くことによって、以下のように堆積ドット数を算出する。すなわち、
堆積ドット数＝シアンドット数＋マゼンタドット数＋イエロードット数＋顔料ブラックドット数−（ライトシアンドット数＋染料ブラックドット数＋ライトマゼンタドット数＋グレイドット数＋特色ドット数）となる。
【００３８】
ステップＳ２において、コントローラ２００は、ＲＯＭ２０３に予め格納されているテーブルを参照することによって、ステップＳ１で求めた各領域の堆積ドット数から、それぞれの領域に対する、それぞれの抑制インクのドット数（吐出数）を決定する。その後、ステップＳ３において、１ページ分の記録動作を行う。なお、以上の説明においては、コントローラ２００が顔料インクのドット数と染料インクのドット数との差である堆積ドット数を算出することにより、インク吸収体２０８Ａの各領域における堆積インクの堆積状況を取得する例を説明した。しかし、例えば、堆積インクの堆積状況を取得するための情報としては、単に顔料インクのドット数のみを算出する構成であっても良い。
【００３９】
本実施形態では、ステップＳ３の記録動作が終了した後に、ステップＳ２で求めたドット数分の抑制インクをインク吸収体に付与するため、記録動作とは無関係なキャリッジの走査（抑制インク付与走査）を１回（１走査）行う（ステップＳ４）。その際、本発明は、インク吸収体の各領域でそれぞれ付与量の異なる抑制インクの付与を１回の走査で完成させるために、記録ヘッドから抑制インクを吐出する条件（抑制インク吐出条件）を各領域で変更可能なことを特徴としている。以下、本実施形態では、抑制インク吐出条件をキャリッジの走査速度とし、１回の走査で抑制インクの付与を完成させるために、キャリッジの走査速度をインク吸収体の位置に応じて変更する。
【００４０】
図９は、１回の抑制インク付与走査における走査速度の変化を説明するための図である。ここでは、基準位置と称される吸収体左端部の更に左側にある位置から出発し、非基準位置と称される吸収体右端部の更に右側にある位置まで走査する際の、キャリッジの速度変化を示している。図において、横軸はキャリッジが基準位置を出発してからの経過時間、縦軸はキャリッジの移動距離をそれぞれ示している。なお、本実施形態では、キャリッジが移動中、記録ヘッドに搭載されている各抑制インクのノズル列からは、一定の周波数でインクが吐出されているものとする。
【００４１】
基準位置から出発したキャリッジは、速度ｖで左端部吐出位置まで移動し、ここで時間ｔだけ停止する。但し、この停止時間内も、各ノズル列からは上記一定の周波数で抑制インクが吐出されている。時間ｔが経過すると、キャリッジは再び速度ｖで右端部吐出位置まで移動し、ここで更に時間ｔだけ停止する。その後、再び速度ｖで移動し、非基準位置に到着した時点で抑制インクの吐出を終了し、抑制インク付与走査を完了する。このような抑制インク付与走査を行うことによって、インク吸収体の左端部と右端部（堆積インクの堆積量が大きい第２位置）は先後端部（堆積インクの堆積量が少ない第１位置）に比べてより多くの抑制インクが付与される。すなわち、従来の様に左右端部のために複数回の走査が要されることがなく、インク吸収体のインク吸収能力が１回の走査で短時間に回復することが可能となる。
【００４２】
１回分の走査が終了すると、再度図６のフローチャートを参照するに、ステップＳ５へ進み、コントローラ２００は本ジョブにおいて全てのページの記録が終了したか否かを判断する。終了したと判断した場合は、本処理を終了する。まだ記録すべきページが残っている場合にはステップＳ１へ戻り、次のページの処理を開始する。
【００４３】
なお、ステップＳ４での抑制インク付与走査を実行するためには、ステップＳ２で参照するテーブルに、抑制インク吐出条件として、抑制インクを吐出する際に使用するノズル数、個々のノズルの吐出周波数、あるいはキャリッジの走査速度が記憶されていればよい。使用ノズル数の場合には、ステップＳ２で得られた堆積ドット数が多い領域ほど使用ノズル数が多く設定され、堆積ドット数が少ない領域ほど少なく設定されるようなテーブルであれば良い。吐出周波数の場合には、ステップＳ２で得られた堆積ドット数が多い領域ほど吐出周波数が高く設定され、堆積ドット数が少ない領域ほど低く設定されるようなテーブルであれば良い。また、キャリッジ走査速度の場合には、ステップＳ２で得られた堆積ドット数が多い領域ほどキャリッジ速度が遅く設定され、堆積ドット数が少ない領域ほど速く設定されるようなテーブルであれば良い。
【００４４】
以上の説明では、抑制インク吐出条件のうちいずれか１つを、堆積ドット数に応じて各領域で変更するように設定したが、これら条件の複数の組み合わせを変更するように設定しても良い。その場合には、例えば、ステップＳ２で得られた堆積ドット数が多い領域ほど使用ノズル数を多く、かつ吐出周波数を高く設定し、堆積ドット数が少ない領域ほど使用ノズル数を少なく、かつ吐出周波数を低く設定するようなテーブルを用意すれば良い。
【００４５】
但し、テーブルには更に多くの項目を記憶させておくことも出来る。抑制インク吐出条件に関しては、例えば、上記ノズル数や吐出周波数あるいはキャリッジ速度のほか、右端部あるいは左端部での停止時間ｔ、抑制インクとして使用するノズル列の種類、などもステップＳ２で得られた堆積ドット数に応じて変更させることも出来る。また、ステップＳ１でカウントする堆積ドット数も、右端部、先後端部および左端部で独立にカウントし、それぞれ得られたカウント値の組み合わせによって、上記抑制インク吐出条件が定められる形態であってもよい。この場合、例えば右端部および左端部においてのみ、先後端部よりも吐出周波数を大きく変更すれば、右端部および左端部における待機時間ｔをより短くすることが出来る。また、先後端部へ付与する抑制ドット数が少ない場合には、吐出周波数はそのままにキャリッジ速度を速めることによって、抑制インク付与走査をより短時間で終了させることが出来る。
【００４６】
以上の説明では、はみ出し領域を先端部、後端部、右端部および左端部に分類して堆積ドット数をカウントした。そして、抑制インク吐出条件を変更して抑制インクを付与するインク吸収体の各領域としては、先後端部、右端部および左端部に分類した例で説明を行ってきた。しかし、本発明は、領域の分類はこのような３領域に限定されるものではなく、より細かく分類された領域に応じて、抑制インク吐出条件を設定しても良い。例えば、インク吸収体の先後端部を主走査方向にさらに細かく分割し、各領域において堆積ドット数をカウントし、領域ごとに抑制インク吐出条件を独立に定め、抑制インク付与走査を実行するようにしても良い。このようにすれば、記録媒体の先後端部に対して主走査方向に記録デューティの偏りのある画像を記録し、インク吸収体の先後端部において堆積インク量にばらつきがある場合であっても、効率的な抑制インク付与走査が可能となる。
【００４７】
なお、以上説明した実施形態においては、右端部および左端部でキャリッジを一時停止し、吸収体の同位置に抑制インクを集中して付与している。これは、抑制インクが、それ自身が吸収体に吸収されやすい性質を有しているので、ある程度周囲に浸透していくことが期待出来るからである。但し、このような構成は本発明を限定するものではない。右端部あるいは左端部領域内でも、先行端部とは異なる速度でキャリッジを走査してもよいし、また、先後端部の領域でも堆積ドット数が高い領域が部分的に存在する場合には、キャリッジを一時停止させるような構成を有していてもよい。いずれにしても、吸収体における堆積インクの堆積傾向と抑制インクの吸収傾向を加味した上で、インク吸収体の各領域において抑制インクがまんべんなく浸透していくように、各種パラメータが調整されたテーブルが作成されていればよい。
【００４８】
（第２の実施形態）
第１の実施形態では、一時的にキャリッジを停止させることにより、左端部および右端部に対する抑制インクの付与量を増大させていた。これに対し、本実施形態では、キャリッジを停止させることなく、左端部および右端部とされる領域内でキャリッジを往復走査させることにより、左端部および右端部に対する抑制インクの付与量を増大させる。左端部および右端部とされる領域にもある程度の幅があるので、本実施形態のようにすることにより、その領域内に一様に抑制インクを付与することが出来る。
【００４９】
本実施形態においても、第１の実施形態と同様、図６に示したフローチャートを採用することが出来る。
【００５０】
まず、ステップＳ１において、はみ出し領域における堆積ドット数を、右端部領域、左端部領域および先後端部領域のそれぞれについて算出する。ドット数の算出方法は、第１の実施形態と同様である。続くステップＳ２では、ステップＳ１で求めた先後端部、左端部、および右端部の堆積ドット数から、それぞれの領域に対する抑制インクのドット数（吐出数）を決定する。その後、ステップＳ３において、１ページ分の記録動作を行う。
【００５１】
本実施形態では、各領域で変更可能な抑制インク吐出条件を、各領域（左端部、右端部および先後端部）に対する、キャリッジの走査速度ｖ、キャリッジの走査回数Ｎ、および吐出周波数ｆとする。そして、ｖ、ＮおよびｆをステップＳ１で求めたドット数に応じて調整することにより、吸収体２０８Ａの各領域に対する適量な抑制インクの付与を実現する。
【００５２】
図１０は、本実施形態における抑制インク付与走査の走査速度の変化を、第１の実施携帯と同様に説明するための図である。ここでは、左右端部領域におけるキャリッジの速度をｖ１、キャリッジの走査回数を３、吐出周波数をｆ１とし、先行端領域におけるキャリッジの速度をｖ２（＜ｖ１）、キャリッジの走査回数を１、吐出周波数をｆ２（＞ｆ１）とした例を示している。
【００５３】
基準位置から出発したキャリッジは、速度ｖ１で左端部領域の右端部まで移動するが、左端部領域の左端部を通過する時点から、記録ヘッドは周波数ｆ１による抑制インクの吐出を開始する。左端部領域の右端部に到達すると、キャリッジは進行方向を逆転し、一度左端部領域の左端部まで戻り、更に逆転して再び左端部領域の右端部まで進む。この間、記録ヘッドは吐出周波数ｆ１で抑制インクの吐出を継続している。以上の動作によって左端部領域に対する吐出周波数ｆ１での３回の走査が行われたことになる。
【００５４】
左端部領域の左端部を通過した時点から、キャリッジの走査速度はｖ２に、記録ヘッドの吐出周波数はｆ２に切り替えられ、この状態のままキャリッジは右端部領域の左端部まで進行する。この動作によって先行端部領域に対する吐出周波数ｆ２での１回の走査が行われる。
【００５５】
更に、右端部領域の左端部を通過した時点から、キャリッジの走査速度はｖ１に、記録ヘッドの吐出周波数はｆ１に切り替えられる。右端部領域の右端部に到達すると、左端部領域と同様、キャリッジは進行方向を逆転し、一度右端部領域の左端部まで戻り、更に逆転して再び右端部領域の右端部まで進む。この間、記録ヘッドは吐出周波数ｆ１で抑制インクの吐出を継続しており、この動作によって右端部領域に対する吐出周波数ｆ１での３回の走査が行われる。
【００５６】
右端部領域の右端部を通過した時点で、記録ヘッドは抑制インクの吐出動作を停止し、キャリッジはそのまま非基準位置まで進行する。以上で、本実施形態における抑制インク付与走査は完了する。
【００５７】
以上説明したような抑制インク付与走査によれば、インク吸収体の左端部、右端部および先後端部は、それぞれ適量の抑制インクが付与され、かつ第１の実施形態に比べ、各領域内でより均一に抑制インクを浸透させることが出来る。すなわち、従来の様に左右端部のために複数回の走査が要されることもなく、インク吸収体のインク吸収能力を全領域にわたって短時間に一様に回復させることが可能となる。
【００５８】
なお、図１０においては、キャリッジの走査速度ｖと吐出周波数ｆの両方が左端部および右端部で等しく、かつ先後端部とは異なる例で説明した。しかし、本実施形態においては、キャリッジの走査速度ｖ、吐出周波数ｆおよび走査回数Ｎを、左端部、右端部および先行端部の各領域でそれぞれ独立に設定することが可能である。よって、先後端部に対し、左端部と右端部でキャリッジ速度や吐出周波数を異ならせたり、先行端部に対しキャリッジを複数回走査させたりすることも可能である。
【００５９】
なお、以上説明した実施形態では、はみ出し領域を先端部、後端部、右端部および左端部に分類して堆積ドット数をカウントした。そして、抑制インク吐出条件を変更して抑制インクを付与するインク吸収体の各領域としては、先後端部、右端部および左端部に分類した例で説明を行ってきた。しかし、本発明は、領域の分類はこのような３領域に限定されるものではなく、より細かく分類された領域に応じて、抑制インク吐出条件を設定しても良い。例えば、インク吸収体の先後端部を主走査方向にさらに細かく分割し、各領域において堆積ドット数をカウントし、領域ごとに抑制インク吐出条件を独立に定め、抑制インク付与走査を実行するようにしても良い。
【００６０】
また、先後端部の領域でも堆積ドット数が高い領域が部分的に存在する場合には、キャリッジを一時停止させるような構成にしてもよい。いずれにしても、吸収体における堆積インクの堆積傾向と抑制インクの吸収傾向を加味した上で、インク吸収体の各領域において抑制インクの適当量が付与されるように、各種パラメータが調整されたテーブルが作成されていれば本発明の範疇である。
【００６１】
また、上記説明では、インク吸収体に抑制インクを付与する走査を、１ページごとの記録動作終了後に行う工程で説明したが、本発明はこれに限るものではない。例えば、抑制インクを１ページ分の記録動作を行う前に付与するようにしても、吸収体上の堆積インクを抑制することは出来る。また、１ページ単位でなく、数ページ単位やその他適切なタイミングで抑制インクを付与する走査を行っても、本発明の効果を得ることは出来る。
【００６２】
更に、以上説明した実施形態では、顔料インクを堆積インク、染料インクを抑制インクとして説明したが、実際の堆積インクおよび抑制インクは、含有する色材によってのみ決まるものではない。堆積インクと抑制インクとに分類される１つの要素として、インク吸収体に対する浸透のしやすさ（浸透性）が挙げられる。つまり、水系溶媒に顔料を分散させた顔料インクはインク吸収体に対する浸透性が低く、吸収体上に残りやすいため堆積インクとして分類される。一方、水溶性染料を色材として用い水系溶媒に溶解させた染料インクや浸透剤を添加したインクは、インク吸収体に堆積しにくく、かつ堆積インクの浸透性を高めて堆積インクの堆積を抑制することができるので、抑制インクとして分類される。また、別の要素として、インクに含まれる溶剤量によっても堆積インクと抑制インクとに分類され得る。これは、抑制インクが溶剤を多く含む場合、堆積インクの粘性の上昇を抑えて、堆積インクを吸収されやすくすることができるためである。したがって、顔料インクにおいても溶剤を多く含むものはインク吸収体に吸収されやすく抑制インクとして分類できる。そのため、上述の実施形態では、顔料インクを堆積インク、染料インクを抑制インクとして説明したが、堆積インクおよび抑制インクが共に顔料インクであってもよい。また、上記実施形態で説明した記録素子基板１３０２上の未使用であったノズル列を、無色透明な抑制インク（クリアインク）に割り当て、抑制インク付与走査では、クリアインクのみ或いはこれを優先して、インク吸収体に付与するようにしてもよい。
【図面の簡単な説明】
【００６３】
【図１】本発明の実施形態で適用するインクジェット記録装置を、その外装部を取り外して内部機構を露出させた状態で示す斜視図である。
【図２】インクジェット記録装置における記録部の様子を詳細に説明するための断面図である。
【図３】ヘッドカートリッジの構成を説明するための斜視図である。
【図４】記録ヘッドに構成されるノズル列を説明するための模式図である。
【図５】本発明の実施形態で適用するインクジェット記録装置における制御の構成を説明するためのブロック図である。
【図６】本発明に適用可能なインクジェット記録装置が「余白なし記録」を行う際に、コントローラが実行する各工程を説明するためのフローチャートである。
【図７】堆積ドット数のカウント方法を説明するためのイメージ図である。
【図８】インク吸収体とインク付与量の分布を説明するための模式図である。
【図９】１回の抑制インク付与走査における走査速度の変化を説明するための図である。
【図１０】第２の実施形態における抑制インク付与走査の走査速度の変化を、第１の実施形態と同様に説明するための図である。
【符号の説明】
【００６４】
２５        吐出ヒータ
２００      コントローラ
２０１      ＣＰＵ
２０２      ノズル列
２０３      ＲＯＭ
２０５      ＲＡＭ
２０８      溝
２０８Ａ    インク吸収体
２０９      リブ
２１０      ホスト装置
２１２      インターフェイス（Ｉ／Ｆ）
２４０      ヘッドドライバ
２５０      キャリッジモータドライバ
２７０      搬送モータドライバ
Ｅ０００１  キャリッジモータ
Ｅ０００２  搬送モータ
Ｅ００１４  電気制御基板
Ｈ１０００  ヘッドカートリッジ
Ｈ１００１  記録ヘッド
Ｈ１９００  インクタンク
Ｍ１０１０  シャーシ
Ｍ１０１１  ガイドレール
Ｍ２０１０  圧板
Ｍ３０６０  搬送ローラ
Ｍ３０７０  ピンチローラ
Ｍ３１００  排紙ローラ
Ｍ３１２０  拍車ローラ
Ｍ３０４０  プラテン
Ｍ４０００  キャリッジ
Ｍ４０４１  タイミングベルト
Ｍ４０４２  プーリ
Ｍ４０２０  ガイドシャフト
【図１】
2008173963.tif 000003
【図２】
2008173963.tif 000004
【図３】
2008173963.tif 000005
【図４】
2008173963.tif 000006
【図５】
2008173963.tif 000007
【図６】
2008173963.tif 000008
【図７】
2008173963.tif 000009
【図８】
2008173963.tif 000010
【図９】
2008173963.tif 000011
【図１０】
2008173963.tif 000012